【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
第１の基地局において、無認可無線周波数スペクトル帯域を使用して第１の信号を送信する１つまたは複数の第１のデバイスに関連する情報を含む基地局測定報告を受信することと、
前記第１の基地局において、前記無認可無線周波数スペクトル帯域を使用して第２の信号を送信する１つまたは複数の第２のデバイスに関連する情報を含むユーザ機器（ＵＥ）測定報告を受信することと、
前記基地局測定報告および前記ＵＥ測定報告に少なくとも部分的に基づいて、第２の基地局に前記ＵＥをハンドオーバすべきかどうかを決定することと、
を備える、ワイヤレス通信のための方法。
【請求項２】
前記１つまたは複数の第１のデバイスが、非サービング基地局または非サービングワイヤレスローカルエリアネットワーク（ＷＬＡＮ）アクセスポイント（ＡＰ）のうちの１つまたは複数を備える、請求項１に記載の方法。
【請求項３】
前記１つまたは複数の第２のデバイスが、非サービング基地局または非サービングワイヤレスローカルエリアネットワーク（ＷＬＡＮ）アクセスポイント（ＡＰ）のうちの１つまたは複数を備える、請求項１に記載の方法。
【請求項４】
前記１つまたは複数の第１のデバイスが、前記基地局測定報告を提供した基地局のエネルギー検出範囲内にある、請求項１に記載の方法。
【請求項５】
前記１つまたは複数の第２のデバイスが、前記ＵＥのエネルギー検出範囲内にある、請求項１に記載の方法。
【請求項６】
前記１つまたは複数の第１のデバイスまたは前記１つまたは複数の第２のデバイスのうちの少なくとも１つの送信の時間間隔とは異なる時間間隔において、信号を受信することをさらに備える、請求項１に記載の方法。
【請求項７】
前記第２の基地局に前記ＵＥをハンドオーバすべきかどうかを前記決定することは、
前記１つまたは複数の第１のデバイスまたは前記１つまたは複数の第２のデバイスのうちの少なくとも１つが、前記無認可無線周波数スペクトル帯域上で前記第１の基地局から送信された信号に、前記ＵＥにおける干渉を引き起こしていると決定すること
を備え、
前記方法は、前記第２の基地局が、前記第１の基地局に対する低減された干渉で、前記ＵＥに信号を送信することができると決定することをさらに備える、
請求項１に記載の方法。
【請求項８】
前記第２の基地局に前記ＵＥをハンドオーバすべきかどうかを前記決定することは、
前記ＵＥにおける前記第２の基地局の送信の信号強度がしきい値を超えると決定すること、
前記第２の基地局が、前記ＵＥにおける前記干渉を引き起こしている、前記１つまたは複数の第１のデバイスまたは前記１つまたは複数の第２のデバイスのうちの前記少なくとも１つのエネルギー検出範囲内にあると決定すること、あるいは
前記第２の基地局が前記第１の基地局のエネルギー検出範囲内にあると決定すること、
のうちの１つまたは複数をさらに備える、請求項７に記載の方法。
【請求項９】
前記ＵＥにおける前記第１の基地局の信号強度が、前記ＵＥにおける前記第２の基地局の信号強度を超える、請求項７に記載の方法。
【請求項１０】
前記基地局測定報告が、非サービング基地局または非サービングワイヤレスローカルエリアネットワーク（ＷＬＡＮ）アクセスポイント（ＡＰ）のうちの少なくとも１つの識別情報およびエネルギー測定値を備える、請求項１に記載の方法。
【請求項１１】
ユーザ機器（ＵＥ）において実行されるワイヤレス通信のための方法であって、
非サービング基地局または非サービングワイヤレスローカルエリアネットワーク（ＷＬＡＮ）アクセスポイント（ＡＰ）のうちの少なくとも１つから、無認可無線周波数スペクトル帯域上で信号を受信することと、
前記信号に関連する１つまたは複数のパラメータを測定することと、
第１の基地局にＵＥ測定報告を送信すること、ここで、前記ＵＥ測定報告が前記１つまたは複数の測定パラメータに少なくとも部分的に基づく、と、
前記第１の基地局から、第２の基地局との通信を開始するためのハンドオーバコマンドを受信することと、ここにおいて、前記ハンドオーバコマンドを受信することは、前記ＵＥ測定報告および基地局報告に少なくとも部分的に基づく、
を備える、方法。
【請求項１２】
前記ＵＥ測定報告が、前記第１の基地局によって検出不可能である１つまたは複数のＷＬＡＮ  ＡＰに関連する情報を備える、請求項１１に記載の方法。
【請求項１３】
ワイヤレスデバイスにおけるワイヤレス通信のための装置であって、
無認可無線周波数スペクトル帯域を使用して第１の信号を送信する１つまたは複数の第１のデバイスに関連する情報を含む基地局測定報告を受信するための手段と、
前記無認可無線周波数スペクトル帯域上で第２の信号を送信する１つまたは複数の第２のデバイスに関連する情報を含むユーザ機器（ＵＥ）測定報告を受信するための手段と、
前記基地局測定報告および前記ＵＥ測定報告に少なくとも部分的に基づいて、第２の基地局に前記ＵＥをハンドオーバすべきかどうかを決定するための手段と、
を備える、装置。
【請求項１４】
ワイヤレスデバイスにおけるワイヤレス通信のための装置であって、
非サービング基地局または非サービングワイヤレスローカルエリアネットワーク（ＷＬＡＮ）アクセスポイント（ＡＰ）のうちの少なくとも１つから、無認可無線周波数スペクトル帯域上で信号を受信するための手段と、
前記信号に関連する１つまたは複数のパラメータを測定するための手段と、
第１の基地局にＵＥ測定報告を送信するための手段、ここで、前記ＵＥ測定報告が前記１つまたは複数の測定パラメータに少なくとも部分的に基づく、と、
前記第１の基地局から、第２の基地局との通信を開始するためのハンドオーバコマンドを受信するための手段、ここにおいて、前記ハンドオーバコマンドを受信することは、前記ＵＥ測定報告および基地局報告に少なくとも部分的に基づく、と、
を備える、装置。
【請求項１５】
少なくとも１つのコンピュータに、請求項１〜請求項１２のうちのいずれかに記載のステップを実行することを命じるための命令を備える、コンピュータプログラム。
【手続補正２】
【補正対象書類名】明細書
【補正対象項目名】０１２９
【補正方法】変更
【補正の内容】
【０１２９】
[0141]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
[Ｃ１]  第１の基地局において、無認可無線周波数スペクトル帯域を使用して第１の信号を送信する１つまたは複数の第１のデバイスに関連する情報を含む基地局測定報告を受信することと、
前記第１の基地局において、前記無認可無線周波数スペクトル帯域を使用して第２の信号を送信する１つまたは複数の第２のデバイスに関連する情報を含むユーザ機器（ＵＥ）測定報告を受信することと、
を備える、ワイヤレス通信のための方法。
[Ｃ２]  前記基地局測定報告および前記ＵＥ測定報告に少なくとも部分的に基づいて、第２の基地局に前記ＵＥをハンドオーバすべきかどうかを決定すること
をさらに備える、Ｃ１に記載の方法。
[Ｃ３]  前記１つまたは複数の第１のデバイスが、非サービング基地局または非サービングワイヤレスローカルエリアネットワーク（ＷＬＡＮ）アクセスポイント（ＡＰ）のうちの１つまたは複数を備える、Ｃ１に記載の方法。
[Ｃ４]  前記１つまたは複数の第２のデバイスが、非サービング基地局または非サービングワイヤレスローカルエリアネットワーク（ＷＬＡＮ）アクセスポイント（ＡＰ）のうちの１つまたは複数を備える、Ｃ１に記載の方法。
[Ｃ５]  前記１つまたは複数の第１のデバイスが、前記基地局測定報告を提供した基地局のエネルギー検出範囲内にある、Ｃ１に記載の方法。
[Ｃ６]  前記１つまたは複数の第２のデバイスが、前記ＵＥのエネルギー検出範囲内にある、Ｃ１に記載の方法。
[Ｃ７]  前記１つまたは複数の第１のデバイスまたは前記１つまたは複数の第２のデバイスが、前記第１の基地局のエネルギー検出範囲外にある、Ｃ１に記載の方法。
[Ｃ８]  前記１つまたは複数の第１のデバイスまたは前記１つまたは複数の第２のデバイスのうちの少なくとも１つの送信の時間間隔とは異なる時間間隔において、信号を受信することをさらに備える、Ｃ１に記載の方法。
[Ｃ９]  前記第２の基地局に前記ＵＥをハンドオーバすべきかどうかを前記決定することは、  前記１つまたは複数の第１のデバイスまたは前記１つまたは複数の第２のデバイスのうちの少なくとも１つが、前記無認可無線周波数スペクトル帯域上で前記第１の基地局から送信された信号に、前記ＵＥにおける干渉を引き起こしていると決定すること
を備え、
前記方法は、前記第２の基地局が、前記第１の基地局に対する低減された干渉で、前記ＵＥに信号を送信することができると決定することをさらに備える、
Ｃ２に記載の方法。
[Ｃ１０]  前記第２の基地局に前記ＵＥをハンドオーバすべきかどうかを前記決定することは、  前記ＵＥにおける前記第２の基地局の送信の信号強度がしきい値を超えると決定すること、
前記第２の基地局が、前記ＵＥにおける前記干渉を引き起こしている、前記１つまたは複数の第１のデバイスまたは前記１つまたは複数の第２のデバイスのうちの前記少なくとも１つのエネルギー検出範囲内にあると決定すること、あるいは
前記第２の基地局が前記第１の基地局のエネルギー検出範囲内にあると決定すること、  のうちの１つまたは複数をさらに備える、Ｃ９に記載の方法。
[Ｃ１１]  前記ＵＥにおける前記第１の基地局の信号強度が、前記ＵＥにおける前記第２の基地局の信号強度を超える、Ｃ９に記載の方法。
[Ｃ１２]  前記ＵＥと前記第２の基地局との間の通信を開始するために、前記ＵＥにハンドオーバコマンドを送信すること
をさらに備える、Ｃ１に記載の方法。
[Ｃ１３]  前記基地局測定報告が、非サービング基地局または非サービングワイヤレスローカルエリアネットワーク（ＷＬＡＮ）アクセスポイント（ＡＰ）のうちの少なくとも１つの識別情報およびエネルギー測定値を備える、Ｃ１に記載の方法。
[Ｃ１４]  前記基地局測定報告が、前記非サービング基地局または前記非サービングＷＬＡＮ  ＡＰのうちの少なくとも１つについてのプリアンブル検出情報をさらに備える、Ｃ１３に記載の方法。
[Ｃ１５]  前記基地局測定報告がバックホールリンクを介して受信される、Ｃ１３に記載の方法。
[Ｃ１６]  前記ＵＥ測定報告が、前記１つまたは複数の第２のデバイスのうちの少なくとも１つから前記ＵＥにおいて受信された前記第２の信号のうちの１つまたは複数に関連するエネルギー測定値を備える、Ｃ１に記載の方法。
[Ｃ１７]  前記ＵＥ測定報告が、前記第１の基地局の周波数とは異なる、前記無認可無線周波数スペクトル帯域の複数の周波数上でとられた複数の測定値を備える、Ｃ１６に記載の方法。
[Ｃ１８]  前記ＵＥ測定報告は、前記ＵＥが、ワイヤレスローカルエリアネットワーク（ＷＬＡＮ）アクセスポイント（ＡＰ）送信のためのビーコン信号、または他の基地局送信のための復調基準信号（ＤＲＳ）信号のうちの少なくとも１つの測定を実行することを可能にするように選択された持続時間を有する時間間隔においてとられた複数の測定値を備える、Ｃ１６に記載の方法。
[Ｃ１９]  前記第２の基地局に前記ＵＥをハンドオーバすべきかどうかを前記決定することが、前記第２の基地局に関連する負荷メトリックに少なくとも部分的に基づく、Ｃ２に記載の方法。
[Ｃ２０]  前記負荷メトリックが、前記第２の基地局に関連するチャネル占有情報を備える、Ｃ１９に記載の方法。
[Ｃ２１]  前記第２の基地局は、前記第２の基地局が、干渉非サービング基地局または干渉非サービングワイヤレスローカルエリアネットワーク（ＷＬＡＮ）アクセスポイント（ＡＰ）のエネルギー検出範囲またはプリアンブル検出範囲中にあることに少なくとも部分的に基づいて選択される、Ｃ２に記載の方法。
[Ｃ２２]  ユーザ機器（ＵＥ）において、非サービング基地局または非サービングワイヤレスローカルエリアネットワーク（ＷＬＡＮ）アクセスポイント（ＡＰ）のうちの少なくとも１つから、無認可無線周波数スペクトル帯域上で信号を受信することと、
前記信号に関連する１つまたは複数のパラメータを測定することと、
第１の基地局にＵＥ測定報告を送信すること、ここで、前記ＵＥ測定報告が前記１つまたは複数の測定パラメータに少なくとも部分的に基づく、と、
前記第１の基地局から、前記ＵＥ測定報告に少なくとも部分的に基づいて、第２の基地局との通信を開始するためのハンドオーバコマンドを受信することと、
を備える、ワイヤレス通信のための方法。
[Ｃ２３]  前記ＵＥ測定報告が、前記第１の基地局と同じ展開からの第２の基地局、または前記第１の基地局と異なる展開からの第３の基地局に関連する情報を備える、Ｃ２２に記載の方法。
[Ｃ２４]  前記ＵＥ測定報告が、前記第１の基地局によって検出不可能である１つまたは複数のＷＬＡＮ  ＡＰに関連する情報を備える、Ｃ２２に記載の方法。
[Ｃ２５]  前記ＵＥ測定報告が、前記第１の基地局の周波数とは異なる、前記無認可無線周波数スペクトル帯域の複数の周波数上でとられた複数の測定値を備える、Ｃ２２に記載の方法。
[Ｃ２６]  前記ＵＥ測定報告は、前記ＵＥが、ＷＬＡＮ  ＡＰのためのビーコン信号、または非サービング基地局のための復調基準信号（ＤＲＳ）信号のうちの少なくとも１つの測定を実行することを可能にするように選択された持続時間を有する時間間隔においてとられた複数の測定値を備える、Ｃ２２に記載の方法。
[Ｃ２７]  前記信号についてプリアンブル検出を実行すること
をさらに備え、
ここにおいて、前記ＵＥ測定報告が、前記信号に関連するプリアンブル検出情報をさらに備える、
Ｃ２２に記載の方法。
[Ｃ２８]  ワイヤレスデバイスにおけるワイヤレス通信のための装置であって、
無認可無線周波数スペクトル帯域を使用して第１の信号を送信する１つまたは複数の第１のデバイスに関連する情報を含む基地局測定報告を受信するための手段と、
前記無認可無線周波数スペクトル帯域上で第２の信号を送信する１つまたは複数の第２のデバイスに関連する情報を含むユーザ機器（ＵＥ）測定報告を受信するための手段と、  を備える、装置。
[Ｃ２９]  前記基地局測定報告および前記ＵＥ測定報告に少なくとも部分的に基づいて、第２の基地局に前記ＵＥをハンドオーバすべきかどうかを決定するための手段
をさらに備える、Ｃ２８に記載の装置。
[Ｃ３０]  ワイヤレスデバイスにおけるワイヤレス通信のための装置であって、
非サービング基地局または非サービングワイヤレスローカルエリアネットワーク（ＷＬＡＮ）アクセスポイント（ＡＰ）のうちの少なくとも１つから、無認可無線周波数スペクトル帯域上で信号を受信するための手段と、
前記信号に関連する１つまたは複数のパラメータを測定するための手段と、
第１の基地局にＵＥ測定報告を送信するための手段、ここで、前記ＵＥ測定報告が前記１つまたは複数の測定パラメータに少なくとも部分的に基づく、と、
前記第１の基地局から、前記ＵＥ測定報告に少なくとも部分的に基づいて、第２の基地局との通信を開始するためのハンドオーバコマンドを受信するための手段と、
を備える、装置。